(57)【特許請求の範囲】
【請求項１】
電気絶縁性材料からなる地板と、ステータ、コイル磁心、モータコイルおよびロータを有するステップモータと、電源と、前記ステップモータで駆動される輪列と、前記輪列を支持する輪列受と、クロック信号を出力する水晶振動子と、前記クロック信号に基づいて前記ステップモータの回転周期を制御するＩＣチップが実装された電子回路基板と、を備えた電子時計であって、
前記ＩＣチップおよびＩＣチップが実装された電子回路基板は、前記コイル磁心と平面的に重なって配置されるとともに、当該コイル磁心に載置されていることを特徴とする電子時計。
【請求項２】
請求項１に記載の電子時計において、
前記電子回路基板には、前記ＩＣチップに接続されたパターンで構成されて歩度精度の調節を行う歩度緩急部が設けられ、前記歩度緩急部は、前記コイル磁心と平面的に重なって配置されていることを特徴とする電子時計。
【請求項３】
請求項１または請求項２に記載の電子時計において、
前記電源のプラス極と前記電子回路基板の電子回路とを電気的に導通させるプラス端子と、前記電源のマイナス極に接触するマイナス端子とを備え、
前記電源のマイナス極と前記電子回路とは、前記マイナス端子および前記コイル磁心を介して電気的に導通されていることを特徴とする電子時計。
【請求項４】
請求項３に記載の電子時計において、
前記電子回路には、前記コイル磁心に導通されるマイナス導通部が設けられ、
このマイナス導通部は、前記コイル磁心に押圧部材で押圧されていることを特徴とする電子時計。
【請求項５】
請求項４に記載の電子時計において、
前記押圧部材は、前記輪列受に設けられた押圧部であることを特徴とする電子時計。
【請求項６】
請求項４または請求項５に記載の電子時計において、
前記押圧部材を介して、前記マイナス導通部を前記コイル磁心に二重に押圧するばね部材を備えていることを特徴とする電子時計。
【請求項７】
請求項６に記載の電子時計において、
前記ばね部材は、前記プラス端子の一部に設けられた押圧ばね部であり、前記押圧部材は電気的絶縁性を有していることを特徴とする電子時計。
【請求項８】
請求項３ないし請求項７のいずれかに記載の電子時計において、
重なり合う前記ステータおよび前記コイル磁心は、これらの一方を重なり方向から押圧接触するするように取り付けられた前記マイナス端子と、他方を重なり方向から押圧保持する挟持部材とで挟持されていることを特徴とする電子時計。
【請求項９】
請求項８に記載の電子時計において、
前記マイナス端子の前記ステータまたは前記コイル磁心を押圧する位置には、前記ステータまたは前記コイル磁心に向かって突出した突起が設けられていることを特徴とする電子時計。
【請求項１０】
請求項８または請求項９に記載の電子時計において、
前記挟持部材は、前記プラス端子の一部に設けられた挟持ばね部であり、この挟持ばね部と前記コイル磁心との間には、電気的絶縁性を有した絶縁部材が設けられていることを特徴とする電子時計。
【請求項１１】
請求項１０に記載の電子時計において、
前記絶縁部材は、合成樹脂製の前記輪列受の一部であることを特徴とする電子時計。
【請求項１２】
請求項１ないし請求項１１のいずれかに記載の電子時計において、
前記ＩＣチップは、前記コイル磁心とは反対側が金属部材で覆われていることを特徴とする電子時計。
【請求項１３】
請求項１２に記載の電子時計において、
前記金属部材は、前記電源のプラス極と前記電子回路基板の電子回路とを電気的に導通させるプラス端子であることを特徴とする電子時計。
【発明の詳細な説明】
【０００１】
【発明の属する技術分野】
本発明は、電子時計に関し、特にステップモータおよび電子回路のレイアウトの改良に関する。
【０００２】
【背景技術】
電池を駆動源としてステップモータを駆動し、このステップモータの駆動を、水晶振動子からのクロック信号に基づいて基準周波数信号を生成する電子回路によって制御し、輪列に固定される指針を正確に運針させる電子時計が知られている。
【０００３】
このような電子時計では通常、ステップモータを構成するコイル磁心の端部に、合成樹脂製のフィルム等で形成された電子回路基板が取り付けられている。この電子回路基板は、コイル磁心の端部よりも大きいため、平面的にコイル磁心からはみ出して配置されている。この電子回路基板のはみ出した部分は、歩度緩急幅のパンチ打ち抜き部や電源のマイナス導通部と接続されるパターンを有し、地板等で支持されている。また、これらのステップモータおよび電子回路基板では先ず、電子回路基板をコイル磁心へ接着し、次いで、コイル線をコイル磁心に巻線し、この後、コイル線を電子回路に結線し、最後に、アセンブリ化されたコイル磁心および電子回路基板を地板に組み込む。
【０００４】
【発明が解決しようとする課題】
このような電子時計のステップモータは、地板に組み込まれる以前では、コイル磁心からはみ出して接着された電子回路基板が、その接着部分のみで支持された片持ち状態となる。したがって、コイル巻き工程や地板への組み込み工程において電子回路基板が不安定であり、作業が行いにくいとともに、電子回路基板の脱落や接着面の部分的なはがれ等が生じやすいという問題がある。
特に、電子回路基板のコイル磁心からのはみ出し部分に、大きなＩＣチップ等の電子回路部品が実装されると、コイル巻き工程や組み込み工程の際に電子回路基板がたわんで変形し、電子回路基板がコイル磁心から一層はがれやすくなるとともに、ＩＣチップの実装部分も剥離しやすいという問題がある。
【０００５】
また、歩度緩急部をムーブメント組み立て後に、レーザー光線でカットする場合、レーザー光線の直進方向に地板あるいは他の部品が存在するため、それらの部品がレーザー光線によって損傷を受けないようにする手段が必要となる。
さらに、ばね部材等でマイナス導通を回路基板に設ける場合、回路基板接着部とは異なる部分に応力が加わることになり、接着部の剥離が生じることがある。
【０００６】
本発明の目的は、電子回路基板自身や、電子回路基板に実装された電子回路部品の取り付け状態を安定した状態に維持できる電子時計を提供することにある。
【０００７】
【課題を解決するための手段】
本発明の電子時計は、電気絶縁性材料からなる地板と、ステータ、コイル磁心、モータコイルおよびロータを有するステップモータと、電源と、前記ステップモータで駆動される輪列と、前記輪列を支持する輪列受と、クロック信号を出力する水晶振動子と、前記クロック信号に基づいて前記ステップモータの回転周期を制御する電子回路部品が実装された電子回路基板と、を備えた電子時計であって、前記ＩＣチップおよびＩＣチップが実装された電子回路基板は、前記コイル磁心と平面的に重なって配置されるとともに、当該コイル磁心に載置されていることを特徴とするものである。
【０００８】
このような構成の本発明においては、合成樹脂製のフィルム等で形成された電子回路基板の上に実装される比較的大きなＩＣチップが、金属製で比較的厚く変形しにくいコイル磁心の上面にじかに重ねて配置されるため、電子回路基板に作用する片持ち状態の荷重が小さくなり、電子回路基板をコイル磁心に確実に取り付けられるとともに、ＩＣチップの実装部分がコイル磁心の面上で支持されるため、電子回路基板が変形せず、電子回路基板自身の他、これに実装されたＩＣチップの取り付け状態を安定させることができる。
【０００９】
以上の電子時計において、前記電子回路基板には、前記ＩＣチップに接続されたパターンで構成されて歩度精度の調節を行う歩度緩急部が設けられ、前記歩度緩急部は、前記コイル磁心と平面的に重なって配置されていることが好ましい。
【００１０】
ここで、電子回路基板が地板で支持された従来の電子時計においては通常、コイル磁心と平面的に重ならない電子回路基板上の位置に歩度精度の調節を行う歩度緩急部が配置されている。
この歩度緩急部は、基板上に銅箔等で形成されたパターンのうち、基板に設けた長孔を渡って、複数本の線状パターンが互いに略平行に間隔を有して並べられている。これらの線状パターンから選択した１本ないし複数本を、レーザー光線等によって切断することで、水晶振動子の発振するクロック信号の製品間のばらつきを補正し、ステップモータに送る基準周波数信号を適正に制御することができる。
【００１１】
しかしながら、従来の電子時計において、レーザー光線により線状パターンを切断する際に、電子回路基板の地板とは反対側から照射したレーザー光線は歩度緩急部を貫通して、電子回路基板より地板側に配置された部材や地板をも損傷してしまうため、このような歩度緩急部の下方には、線状パターン以外の部材にレーザー光線が当たるのを回避するための部材を配置する必要がある（例えば、特許第２９４６２０４号公報の遮蔽部材２０ａ）。そのため、部品点数や組み込み工程が増え、電子時計の製造コストが増大するという問題がある。
【００１２】
そこで、本発明の構成によれば、歩度緩急部がコイル磁心に平面的に重なって配置されるため、歩度緩急部の線状パターンを切断したレーザー光線が、コイル磁心によって遮蔽され、コイル磁心以外の部材に当たることがないので、レーザー光線を遮蔽する部材を別途設ける必要がなく、部品点数を少なく、低コスト化できる。この際、コイル磁心は、金属製で比較的厚い部材であるので、レーザー光線によって多少傷ついたとしても、ステップモータの駆動には何ら影響がない。すなわち、ステップモータの磁束の流れに影響を及ぼさない領域であれば、多少傷ついて磁気ひずみが発生しても、何ら影響はない。
【００１３】
以上の電子時計において、前記電源のプラス極と前記電子回路基板の電子回路とを電気的に導通させるプラス端子と、前記電源のマイナス極に接触するマイナス端子とを備え、前記電源のマイナス極と前記電子回路とは、前記マイナス端子および前記コイル磁心を介して電気的に導通されていることが好ましい。
このような構成では、ステップモータを駆動する電源のプラス極およびマイナス極の両方から、電子回路基板の電子回路までの間を電気的に導通させることができるので、電源と電子回路基板とをモータの両側に分離配置可能で、各部品の平面的レイアウトが効率化され、小型化できるとともに、コイル磁心を介してマイナス極と電子回路とを導通させたので、マイナス端子を電子回路まで延長する必要がなく、部品点数を少なくでき、かつ、マイナス端子を小型化できるため、組み立て工程を簡素化できる。
【００１４】
以上の電子時計において、前記電子回路には、前記コイル磁心に導通されるマイナス導通部が設けられ、このマイナス導通部は、前記コイル磁心に押圧部材で押圧されていることが好ましい。
このような構成では、電子回路に設けられたマイナス導通部が押圧部材によってコイル磁心に押圧されるため、接触不良等の不具合を生じず、コイル磁心を介して電源のマイナス極から電子回路まで、確実に導通させることができる。
【００１５】
以上の電子時計において、前記押圧部材は、前記輪列受に設けられた押圧部であることが好ましい。
このような構成では、輪列受の一部に設けた押圧部により電子回路のマイナス導通部が押圧されるので、別途押圧部材を用意する必要がなく、部品の共用が図られ、コスト低減できる。
【００１６】
以上の電子時計において、前記押圧部材を介して、前記マイナス導通部を前記コイル磁心に二重に押圧するばね部材を備えていることが好ましい。
このような構成では、電子回路のマイナス導通部をコイル磁心に押圧する押圧部材と、さらにこの押圧部材を介してばね部材によってマイナス導通部がコイル磁心に押圧されるので、より確実に電源のマイナス極から電子回路までを電気的に導通させることができ、ステップモータを安定して駆動することができる。
すなわち、押圧するばね部材が一重である場合、時計体外部から加わった機械的な衝撃の振動数が、押圧するばね部材の固有振動数と一致すると共振状態が発生して、電子回路のマイナス導通部の固定力が不安定となってチャタリングが生じ、ステップモータに安定した電力を供給することができないことがある。本発明では、コイル磁心に二重に押圧する構造を採用するため、前記共振状態が発生しても、他方のばねで電子回路のマイナス導通部が押圧されるので、チャタリングの発生を抑止でき、ステップモータに安定した電力を供給することができる。
【００１７】
以上の電子時計において、前記ばね部材は、前記プラス端子の一部に設けられた押圧ばね部であり、前記押圧部材は電気的絶縁性を有していることが好ましい。
このような構成では、プラス端子の一部に設けたばね部により電子回路のマイナス導通部が押圧されるので、別途ばね部材を用意する必要がなく、プラス端子の取り付けと同時にマイナス導通部を押圧でき、組み立て工程を簡素化できる。また、押圧部材が電気的絶縁性を有しているので、プラス端子とマイナス導通部とがショートすることなく、電子回路へのマイナス導通を安定させることができる。
【００１８】
以上の電子時計において、重なり合う前記ステータおよび前記コイル磁心は、これらの一方を重なり方向から押圧接触するするように取り付けられた前記マイナス端子と、他方を重なり方向から押圧保持する挟持部材とで挟持されているいることが好ましい。
このような構成では、マイナス端子がステータまたはコイル磁心を押圧するので、電池のマイナス極とステータまたはコイル磁心との電気的導通を確実にできる。また、マイナス端子と挟持部材とでステータおよびコイル磁心を挟み込むことで、ステータおよびコイル磁心の密着力を大きくでき、コイル磁心へのマイナス極の電気的導通とコイル磁心およびステータの磁気的導通とを確実にできる。
【００１９】
以上の電子時計において、前記マイナス端子の前記ステータまたは前記コイル磁心を押圧する位置には、前記ステータまたは前記コイル磁心に向かって突出した突起が設けられていることが好ましい。
このような構成では、マイナス端子は、その突起により点接触でステータまたはコイル磁心を押圧することで、接触圧力が上がり、ステータおよびコイル磁心をより密着させることができ、コイル磁心へのマイナス極の電気的導通とコイル磁心およびステータの磁気的導通とをより確実にできる。
【００２０】
以上の電子時計において、前記挟持部材は、前記プラス端子の一部に設けられた挟持ばね部であり、この挟持ばね部と前記コイル磁心または前記ステータとの間には、電気的絶縁性を有した絶縁部材が設けられていることが好ましい。
このような構成では、プラス端子の一部に設けた挟持ばね部とマイナス端子とによってステータおよびコイル磁心を挟み込むことで、ステータとコイル磁心とを密着させることができ、別途挟持部材を用意しなくても、プラス端子の取り付けと同時に挟持することができ、組み立て工程を簡素化できる。また、プラス端子の挟持ばね部とコイル磁心またはステータとの間に設けられた電気的絶縁性を有した絶縁部材により、プラス極とマイナス極とがショートすることなく、両極の電気的導通を適切にできる。
【００２１】
以上の電子時計において、前記絶縁部材は、合成樹脂製の前記輪列受の一部であることが好ましい。
このような構成では、合成樹脂製の輪列受の一部でプラス端子とコイル磁心との間を絶縁することで、別途絶縁部材を用意する必要がなく、さらに部品点数の削減および組み立て工程の簡素化によりコスト削減できる。
【００２２】
以上の電子時計において、前記ＩＣチップは、前記コイル磁心とは反対側が金属部材で覆われていることが好ましい。
このような構成では、外部からの電磁気的ノイズ等の影響を受けやすいＩＣチップは、金属製のコイル磁心と金属部材とで挟まれて覆われることとなり、電子時計の外部から侵入する電磁気的ノイズや静電気、光等が遮蔽され、それらの影響をＩＣチップが受けず、安定してステップモータの駆動制御を行うことができる。
【００２３】
以上の電子時計において、前記金属部材は、前記電源のプラス極と前記電子回路基板の電子回路とを電気的に導通させるプラス端子であることが好ましい。
このような構成では、前述と同様にＩＣチップは、金属製のコイル磁心とプラス端子とで挟まれて覆われことで、安定してステップモータの駆動制御を行うことができるとともに、別途金属部材を用意する必要がなく、部品点数の削減および組み立て工程の簡素化が図れ、一層のコスト削減が実現できる。
【００２４】
【発明の実施の形態】
以下に本発明の実施形態を図面に基づいて説明する。
図１ないし図４には、本発明の一実施形態に係る電子時計のムーブメント１が示されている。図１は、ムーブメント１のうち、地板２上のステップモータ１０、電池３、輪列４、および電子回路基板２０のレイアウトを示す平面図であり、図２は、ムーブメント１の分解斜視図、図３，４は、ムーブメント１の要部断面図である。
【００２５】
図１および図２において、ムーブメント１は、略楕円形状で合成樹脂製の地板２の上に、ステップモータ１０、電子回路基板２０、および輪列４等を配置し、それらの上に合成樹脂製の輪列受３０を載置し、さらにその上を覆ってステンレス鋼等の導電性材料からプレス加工されたプラス端子４０を取り付けて、構成されている。地板２の図中左側には電池設置部２Ｂが設けられ、この電池設置部２Ｂと対応する輪列受３０およびプラス端子４０の部分には略半円形状の切欠きが設けられ、この位置にステップモータ１０の電源である電池３が設置される。電池３のプラス極３Ａは、プラス端子４０のプラス極押えばね４６に導通される。地板２の形状は、本実施形態では略楕円形状であるが、その形状や大きさはその実施にあたって任意に決められてよく、本実施形態のものに限定されない。また、地板２の材質は、ポリカーボネート、ポリアセタール、ポリプロピレン、ポリフェニレンサルファイドなどが使用される。これらは機械的強度に優れているとともに、着色も自由に行え、また、成形性に優れているために複雑な立体形状が造りやすい。
【００２６】
地板２の上には、ステップモータ１０、輪列受３０、およびプラス端子４０の位置決めを行い、プラス端子４０の上から熱カシメによってこれらの部材を固定する結合ピン２Ａが５ヶ所に設けられている。
ステップモータ１０は、地板２の上で図中下方右側に配置され、このステップモータ１０を挟んで電池３と反対側には、電子回路基板２０が取り付けられ、この電子回路基板２０の図中上方には水晶振動子５が接続されている。この水晶振動子５は、プラス端子４０の水晶振動子押えばね４７により下方の地板２に押圧され、ずれないようになっている。
電子回路基板２０と電池３との間で、地板２の略中央には、複数の番車から構成された輪列４が設置されている。これらの輪列４は、下方を地板２に、上方を輪列受３０に、それぞれ軸支されている。輪列４には、時刻修正車９が噛合し、この時刻修正車９には、図示しない竜頭を引くことで巻真７を介してつづみ車８が噛合し、竜頭を回転させることで輪列４が回転し、時刻合わせ等を行えるようになっている。
【００２７】
ステップモータ１０は、パーマロイ材等の高透磁率部材からなり平面略コ字形の板材であるステータ１１と、このステータ１１と同じ材料で形成されたコイル磁心１２と、このコイル磁心１２に巻きつけられたモータコイル１３と、ステータ１１のステータ孔１１Ａに配置されたロータ１４とを備えている。
ロータ１４は、上下を輪列受３０および地板２にそれぞれ軸支され、そのロータかな１４Ａによって、輪列４にステップモータ１０の駆動力を伝達する。
ステータ１１には、結合孔１１Ｂが孔設されており、この結合孔１１Ｂに地板２の結合ピン２Ａを挿通して、地板２に位置決め、固定されている。
コイル磁心１２は、ステータ１１の上に重ねて配置され、コイル磁心１２の結合孔１２Ａに結合ピン２Ａを挿通して位置決め、固定されている。コイル磁心１２には、モータコイル１３が巻線され、このモータコイル１３のコイル線１３Ａが電子回路基板２０に形成された電子回路２１に結線されている。よって、ステップモータは、限られたスペースの中でコイル巻数を多く稼ぐことができるので、コイルの抵抗値が大きくなって消費電力を少なくできるとともに、時計体外部から侵入してくる外部磁界に対しても耐磁性が向上される。
【００２８】
電子回路基板２０は、可撓性を有するポリイミド等の合成樹脂製のフィルム上に所定の配線パターン２１Ａで形成された電子回路２１を有し、その平面の過半の部分をコイル磁心１２の端部に重ね、コイル磁心１２に接着等により固定されている。この電子回路基板２０の略中央には、電子回路２１を形成している電子回路部品としてのＩＣチップ２２が実装され、このＩＣチップ２２の図中下方右側には、電子回路基板２０に設けた導通孔２３Ａの上に配線パターン２１Ａの一部がせり出したマイナス導通部２３が設けられている。また、ＩＣチップ２２の図中上方左側には、配線パターン２１Ａの他の一部を拡大したプラス導通部２４が設けられ、このプラス導通部２４にプラス端子４０のプラス導通ばね４５が接触することで、電池３から電子回路２１までがプラス導通されている。さらに、ＩＣチップ２２の図中下方左側には、歩度緩急部２５が設けられている。
【００２９】
次に、図３に示す、ステップモータ１０および電子回路基板２０の要部を示す断面図において、ＩＣチップ２２は、コイル磁心１２の端部と重なって配置されている。このＩＣチップ２２は、水晶振動子５の発振するクロック信号に基づいて基準周波数信号を生成することにより、ステップモータ１０の駆動を制御するＩＣチップであり、その端子が電子回路２１に結線されて、電子回路基板２０上に実装されている。ＩＣチップ２２の図中上方には、輪列受３０およびプラス端子４０がＩＣチップ２２を覆うように配置されている。ここで、輪列受３０は、遠赤外線や赤外線などの熱線を透過させない熱線遮蔽機能を備えていることが好ましい。
【００３０】
ＩＣチップ２２の図中左方には、電子回路基板２０に設けた長孔２５Ｂの上を跨いで、配線パターン２１Ａから複数本（例えば、本実施形態では、５本）の略平行な線状パターン２５Ａを備えた歩度緩急部２５が設けられている。この歩度緩急部２５の上方の輪列受３０およびプラス端子４０には、歩度緩急部２５と対応する位置に連通孔３２，４４が設けられている。
歩度緩急部２５の図中左方には、前記マイナス導通部２３が設けられ、このマイナス導通部２３と対応する位置に、輪列受３０の押圧部３３とプラス端子４０の押圧ばね部４２とが設けられている。この押圧ばね部４２は、押圧部３３を介してマイナス導通部２３をコイル磁心１２に押圧している。
【００３１】
図４に示す、ステップモータ１０および電池３の要部を示す断面図において、地板２の上には、ステータ１１、コイル磁心１２、輪列受３０およびプラス端子４０がそれぞれ、結合孔１１Ｂ，１２Ａ，３１，４１に結合ピン２Ａを挿通して、結合ピン２Ａの頭部を熱カシメすることで固定されている。地板２とステータ１１との間には、マイナス端子６が結合ピン２Ａを挿通されて設置されている。
【００３２】
マイナス端子６は、リン青銅等の導電性およびばね性を有する材料からなり、電池設置部２Ｂの中央付近まで延び、電池３を設置しない状態では、図中二点鎖線で示すように、その先端が上方に向いている。電池３を設置した状態において、マイナス端子６は図中実線で示すように、そのマイナス極突起６Ａを電池３のマイナス極３Ｂに当接し、結合ピン２Ａを挟んで電池３と反対側に形成された突起６Ｂをステータ１１の下面に当接して、電池３のマイナス極３Ｂからステータ１１までを導通している。
また、マイナス端子６の突起６Ｂと対応する位置のプラス端子４０には、輪列受３０を下方に押圧する挟持ばね部４３が形成され、この挟持ばね部４３とマイナス端子６の突起６Ｂとが輪列受３０、ステータ１１およびコイル磁心１２を挟み込んでいる。
【００３３】
次に、本実施形態のムーブメント１の組み立て手順は、以下のとおりである。まず、電子回路基板２０をコイル磁心１２に接着する。次に、電子回路基板２０が接着されたコイル磁心１２にモータコイル１３のコイル線１３Ａを巻線して、アセンブリ化されたコイル磁心１２ができあがる。次に、電子回路基板２０に水晶振動子５が実装される。続いて、マイナス端子６と、ステータ１１と、アセンブリ化されたコイル磁心１２とを地板２の結合ピン２Ａに重ねて配置する。続いて、ロータ１４、輪列４、時刻修正車８、つづみ車９および巻真７を順次組み込み、その上から輪列受３０を取り付ける。
さらに、プラス端子４０の取り付けに際し、押圧ばね部４２で輪列受３０の押圧部３３を押圧し、挟持ばね部４３で輪列受３０の一部を押圧し、水晶振動子押えばね４７で水晶振動子５を押圧し、プラス導通ばね４５を電子回路２１のプラス導通部２４に当接させながら、プラス端子４０の結合孔４１に結合ピン２Ａを挿通し、結合ピン２Ａの頭部を熱カシメしてプラス端子４０を固定する。なお、結合ピン２Ａは、地板２と別体に形成されていてもよい。また、結合ピン２Ａの固定は、熱カシメに限らず、プラス端子４０を固定できれば、ねじ固定など、どのような固定手段であってもよい。
【００３４】
また、ムーブメント１の組み立て後に行う運針精度調整について説明する。
水晶振動子５は、その製品単体ごとに発振するクロック信号にばらつきを有しており、ステップモータ１０を駆動する基準周波数信号をＩＣチップ２２で生成する際に補正が必要となる。そこで、ムーブメント１の組み立て後、電子回路基板２０の歩度緩急部２５の論理緩急調整を行う。すなわち、レーザー光線をムーブメント１の上方から、プラス端子４０および輪列受３０の連通孔４４，３２を通して、歩度緩急部２５の平行配置された線状パターン２５Ａに照射し、適切に選択した本数の線状パターン２５Ａを切断する。レーザー光線としては、ＹＡＧレーザー等を用いる。したがって、電子回路２１の論理回路構成が変更され、ＩＣチップからステップモータ１０へ補正された基準周波数信号が送られることで、ムーブメント１の運針精度が正確に調整される。
【００３５】
このような本発明の実施形態によれば、次のような効果が得られる。
（１）  電子回路基板２０に実装される比較的大きなＩＣチップ２２が、金属製で比較的剛性が高くて変形しにくいコイル磁心１２の端部に重ねて配置され、電子回路基板２０の平面過半の部分がコイル磁心１２に接着されているので、コイル巻き工程やコイル磁心１２の組み込み工程において、電子回路基板２０を確実にコイル磁心１２に固定しておくことができ、また、電子回路基板２０に実装されたＩＣチップの実装状態を安定した状態に維持できる。
【００３６】
（２）  地板２の上には、電池３と電子回路基板２０とがステップモータ１０のモータコイル１３を挟んで両側に分離配置されているので、地板２のスペースを有効に使うことができ、ムーブメント１を小型化し低コスト化できる。
【００３７】
（３）  ＩＣチップ２２をモータコイル１０と近い位置に配置したので、配線距離が短くなって電気抵抗を低減し、エネルギーロスを少なくできる。また、ＩＣチップ２２をモータコイル１０と近い位置に配置したので、配線距離が短くなって、電子回路基板２０の面積及びパターンの面積を小さくでき、製造コストの削減が図れる。
【００３８】
（４）  電子回路基板２０の歩度緩急部２５が金属製で比較的厚いコイル磁心１２の上に配置されるため、論理緩急調整の際、線状パターン２５Ａを切断したレーザー光線が、コイル磁心１２によって遮蔽され、地板２や他の部材に当たらないので、レーザー光線を遮蔽する部材を別途設ける必要がなく、部品点数を少なくし低コスト化できる。
【００３９】
（５）  運針精度の調整方法としてレーザー光線により歩度緩急部２５の線状パターン２５Ａを切断する方法を適用することで、機械的なパンチングにより切断する方法よりも精度良く論理緩急調整が行えるので、ムーブメント１を小型化でき、調整工程を迅速にできる。なお、機械的なパンチングによる切断の場合、電子回路基板２０の変形を防止するために機械的な強度を確保する必要があり、電子回路基板２０の小型化に限界があったが、レーザー光線を使用すれば、電子回路基板２０の小型化が容易となる。
【００４０】
（６）  プラス端子４０は、電池３のプラス極３Ａから電子回路２１のプラス導通部２４までを導通させるとともに、輪列受３０等の部品を覆って地板２に支持、固定しているため、他に固定部材等を必要とせず、部品点数を削減し低コスト化することができる。
【００４１】
（７）  プラス端子４０に設けられた押圧ばね部４２が輪列受３０の押圧部３３を介して、電子回路２１のマイナス導通部２３をコイル磁心１２に押圧することで、マイナス導通部２３への電気的導通とコイル磁心１２およびステータ１１の磁気的導通とが確実に行われ、接触不良等の不具合を生じず、ステップモータ１０を安定して駆動することができる。
【００４２】
（８）  ＩＣチップ２２は、その下方を金属製のコイル磁心１２で支持され、上方を金属製のプラス端子４０で覆われており、電子時計の外部から侵入する電磁気的ノイズや静電気、光等が遮蔽されるので、ＩＣチップ２２がそれらの影響を受けることがなく、安定してステップモータ１０の駆動制御を行うことができる。
【００４３】
（９）  電池３が設置された状態で、マイナス端子６の突起６Ｂがステータ１１を下方から押圧するため、点接触となり接触圧が高まるので、電池３のマイナス極３Ｂとステータ１１との導通を確実にできる。
【００４４】
（１０）  マイナス端子６の突起６Ｂとプラス端子４０の挟持ばね部４３とで、ステータ１１およびコイル磁心１２を挟み込むことで、ステータ１１とコイル磁心１２とを密着させることができ、コイル磁心１２へのマイナス導通とコイル磁心１２およびステータ１１の磁気的導通とを確実にできる。
【００４５】
（１１）  電池３のマイナス極３Ｂからマイナス端子６、ステータ１１およびコイル磁心１２を通して、電子回路２１のマイナス導通部２３まで電気的に導通されるので、マイナス端子６を電子回路基板２０まで延長する必要がなく、部品点数の削減および部品の小型化を行えるので低コスト化することができる。
【００４６】
（１２）  ＩＣチップ２２が熱線遮蔽機能を備えた輪列受３０に覆われているので、シリコンからできているＩＣチップ２２に光電効果による起電力を生じさせる熱線を伝えないようにでき、ＩＣチップ２２の消費電流増加を抑制して、時計の誤動作を防止でき、また、電池の消耗を抑えることができる。
【００４７】
（１３）  電子回路２１のマイナス導通部２３をコイル磁心１２に押圧する押圧部３３と、さらにこの押圧部３３を介して押圧ばね部４２によってマイナス導通部２３がコイル磁心１２に押圧されるという二重の押圧構造を採用するため、結合ピン２Ａの熱カシメを行ったあと、熱カシメ部の冷却にともなう収縮によって多少のゆるみが発生しても、より確実に押圧することが可能となるので、電池３のマイナス極３Ｂから電子回路２１までの電気的導通の信頼性を向上させることができる。
【００４８】
なお、本発明を実施するための最良の構成、方法などは、以上の記載で開示されているが、本発明は、これに限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【００４９】
前述の実施形態において、地板２および輪列受３０は合成樹脂製としたが、これに限らず、電気絶縁性のある材料が適用可能であり、また、金属材料等に絶縁被膜を施したものも適用できる。
また、プラス端子４０にステンレス鋼等を使用し、マイナス端子６にリン青銅等を使用することとしたが、プラス端子４０およびマイナス端子６ともに、ステンレス鋼を使用してもよく、りん青銅、アルミニウム合金、ステンレス鋼表面に金メッキを施したものを使用してもよい。さらに、他の材料であっても同様の性能を有するものが適用可能で、例えば、合成樹脂製の部材に導電性のメッキを施したものでもよい。電源としては、放電のみで充電できない化学反応を利用した一次電池、酸化銀電池、リチウム電池、および繰返し充放電が可能な化学反応を利用した二次電池やコンデンサ、電磁発電機構を内蔵する電池を採用することができる。
【００５０】
また、前述の実施形態において、電池３のマイナス極３Ｂから電子回路２１までのマイナス導通は、コイル磁心１２を介して行われており、コイル磁心１２はマイナスの電位を帯びているが、これに限らず、コイル磁心１２がプラスの電位を帯びるように、電池３のプラス極３Ａとコイル磁心１２とが導通されているものであっても、請求項３の発明、およびこれに係る発明を除く他の発明に含まれる。
なお、地板は、時計用外装部品であるウラブタを兼用してもよい。また、地板は、時計用外装部品であるケースとウラブタが一体となったワンピースタイプに兼用してもよい。部品を兼用することによって、地板の厚みだけムーブメントの厚さを薄くできるので、薄型のデザインをもった時計を製造できる。
【００５１】
【発明の効果】
以上に述べたように、本発明の電子時計によれば、合成樹脂製のフィルム等で形成された電子回路基板に実装される比較的大きな電子回路部品が、金属製で比較的剛性が高くて変形しにくいコイル磁心に重ねて配置されているので、電子回路基板を確実にコイル磁心に取り付けられ、この電子回路基板に実装される電子回路部品の実装部分を安定した状態に維持できるという効果を奏する。
【図面の簡単な説明】
【図１】本発明の一実施形態に係る電子時計のムーブメントの一部を示す平面図である。
【図２】前記実施形態のムーブメントを示す分解斜視図である。
【図３】前記実施形態の要部を示す断面図である。
【図４】前記実施形態の図３とは異なる要部を示す断面図である。
【符号の説明】
２…地板、３…電池（電源）、３Ａ…プラス極、４…輪列、５…水晶振動子、６…マイナス端子、６Ｂ…突起、１０…ステップモータ、１１…ステータ、１２…コイル磁心、１３…モータコイル、１４…ロータ、２０…電子回路基板、２１…電子回路、２２…ＩＣチップ（電子回路部品）、２３…マイナス導通部、３０…輪列受（絶縁部材）、３３…押圧部、４０…プラス端子、４２…押圧ばね部、４３…挟持ばね部。
【図１】
0003594021.tif 000002
【図２】
0003594021.tif 000003
【図３】
0003594021.tif 000004
【図４】
0003594021.tif 000005